(57)【要約】      （修正有）【課題】災害発生時の状況把握、および徘徊老人捜索や不審者発見に有効な画像を直接入手可能な情報通信システム及び情報通信方法を提供する。【解決手段】災害または事件が発生した際に、センター局装置１０は、端末局装置３０に拡声放送用音声データを送信する一方、カメラサーバに災害または事件に関連する拡声放送エリア情報を送信する。カメラサーバ５０は、センター局装置から送信された拡声放送エリア情報を基に拡声放送エリア内を撮影可能な監視カメラ６０に対して、予め登録されたプリセット情報テーブルを参照して、所定の向きや画角の変更を指示する。監視カメラは、自己の雲台およびズーム機構の動作制御を行い、所定の向きや画角に変更をした後、撮影した画像をカメラサーバに送信する。カメラサーバは、監視カメラから送信された画像をセンター局装置に送信する。センター局装置は、カメラサーバから送信された画像をモニタ画面上に表示する。【選択図】図１
2016005237.tif 000002
【特許請求の範囲】
【請求項１】
発生した災害または事件の内容に基づいて、拡声放送用音声データを生成し、無線送信するセンター局装置と、
拡声放送エリア内に設置され、前記センター局装置から受信した前記拡声放送用音声データを拡声放送する端末局装置と、
ネットワークを介して前記センター局装置と接続され、監視カメラに対して、向きや画角の変更を指示する一方、前記監視カメラから送信された画像を、前記ネットワークを介して前記センター局装置に送信するカメラサーバと、
前記カメラサーバからの指示に基づき向きや画角の変更を行い、また、撮影した画像を前記カメラサーバに送信する監視カメラと、
から構成される情報通信システムにおいて、
災害または事件が発生した際に、
前記センター局装置は、前記端末局装置に前記拡声放送用音声データを送信する一方、前記カメラサーバに前記災害または事件に関連する拡声放送エリア情報を送信し、
前記カメラサーバは、前記センター局装置から送信された前記拡声放送エリア情報を基に前記拡声放送エリア内を撮影可能な前記監視カメラに対して、予め登録されたプリセット情報テーブルを参照して、所定の向きや画角の変更を指示し、
前記監視カメラは、自己の雲台およびズーム機構の動作制御を行い、所定の向きや画角に変更をした後、撮影した画像を前記カメラサーバに送信し、
前記カメラサーバは、前記監視カメラから送信された画像を前記センター局装置に送信し、
前記センター局装置は、前記カメラサーバから送信された画像をモニタ画面上に表示することを特徴とする情報通信システム。
【請求項２】
請求項１記載の情報通信システムにおいて、前記センター局装置は、前記カメラサーバから送信された画像を前記拡声放送エリアに対応付けて前記モニタ画面上に表示することを特徴とする情報通信システム。
【請求項３】
発生した災害または事件の内容に基づいて、拡声放送用音声データを生成し、無線送信するセンター局装置と、
拡声放送エリア内に設置され、前記センター局装置から受信した前記拡声放送用音声データを拡声放送する端末局装置と、
ネットワークを介して前記センター局装置と接続され、監視カメラに対して、向きや画角の変更を指示する一方、前記監視カメラから送信された画像を、前記ネットワークを介して前記センター局装置に送信するカメラサーバと、
前記カメラサーバからの指示に基づき向きや画角の変更を行い、また、撮影した画像を前記カメラサーバに送信する監視カメラと、
から構成される情報通信システムの情報通信方法であって、
災害または事件が発生した際に、
前記センター局装置が、前記端末局装置に前記拡声放送用音声データを送信する一方、前記カメラサーバに前記災害または事件に関連する拡声放送エリア情報を送信するステップと、
前記カメラサーバが、前記センター局装置から送信された前記拡声放送エリア情報を基に前記拡声放送エリア内を撮影可能な前記監視カメラに対して、予め登録されたプリセット情報テーブルを参照して、所定の向きや画角の変更を指示するステップと、
前記監視カメラが、自己の雲台およびズーム機構の動作制御を行い、所定の向きや画角に変更をした後、撮影した画像を前記カメラサーバに送信するステップと、
前記カメラサーバが、前記監視カメラから送信された画像を前記センター局装置に送信するステップと、
前記センター局装置が、前記カメラサーバから送信された画像をモニタ画面上に表示するステップと、を有することを特徴とする情報通信方法。
【請求項４】
請求項３記載の情報通信方法において、前記センター局装置が、前記カメラサーバから送信された画像を前記拡声放送エリアに対応付けて前記モニタ画面上に表示するステップを有することを特徴とする情報通信方法。
【発明の詳細な説明】
【技術分野】
【０００１】
本発明は、同報無線システムや画像監視システム等の情報通信システムに関し、特に、災害発生時の状況把握、および徘徊老人捜索や不審者発見に有効な画像を入手することが可能な情報通信システム及び情報通信方法に関する。
【背景技術】
【０００２】
例えば、従来の無線通信システムにおける情報の伝達方法としては、例えば、市町村防災デジタル無線通信システムが知られている。この市町村防災デジタル無線通信システムのような一般的な同報無線システムにおいては、行政機関にセンター局装置を設置し、行政管轄地区の屋外や施設内に複数の端末局装置を設置して、センター局装置から災害関連情報等の拡声放送用の音声等の情報をこれら端末局装置や戸別受信機へ同報無線により送信し、各端末局装置や戸別受信機で受信した拡声放送用の音声等の情報を、音声通報としてスピーカから拡声出力することが行われている。一般的な同報無線システムでは、センター局装置から複数の端末局装置へ、拡声放送用の音声等の情報を単一方向に無線送信することが行われる。
【０００３】
なお、無線通信システムにおいて、テレメータ等のセンサを用いて水位上昇といった災害関連情報を検知し、センサによる検知に基づいて監視カメラが撮影した画像を無線通信によりセンター局へ送信し、センター局側のモニタにセンサ発報に関係する画像を表示することが行われている（特許文献１参照）。
【０００４】
また、画像監視システムは、ホテルやビル、コンビニエンスストアや金融機関、或いはダムや道路等といった公共施設などにおいて、犯罪抑止や事故防止等の目的で設置されている。従来の一般的な画像監視システムでは、カメラ等で監視対象エリアを撮像し、撮像した画像を管理事務所や警備室等の監視センターに伝送し、監視者が、伝送されてくる画像により監視対象を目視し、目的や必要に応じて、注意や警告をしたり、画像を記録・保存したりするものである。
【０００５】
なお、画像監視システムにおいて、取得した画像から侵入者等を検出してアラームを発生させることが行われている（特許文献２参照）。
【先行技術文献】
【特許文献】
【０００６】
【特許文献１】特開２００６−１６５９８１号公報
【特許文献２】特開２００９−２２５２７５号公報
【発明の概要】
【発明が解決しようとする課題】
【０００７】
しかしながら、例えば、火災等の災害への対応や徘徊老人の捜索や不審者への対応を行う場合に、従来の情報通信システムでは、上記した同報無線システムを使い、センター局装置から複数の端末局装置や戸別受信機に拡声放送用の音声情報を送信し、各端末局装置や戸別受信機のスピーカから音声にて情報提供することしかできず、システム自体が災害の状況把握や徘徊老人の捜索や不審者の発見に直接貢献できるものではなかった。
【０００８】
本発明は、この様な状況に鑑みて為されたものであり、災害発生時の状況把握、および徘徊老人捜索や不審者発見に有効な画像を直接入手することが可能な情報通信システム及び情報通信方法を提供することを目的とする。
【課題を解決するための手段】
【０００９】
上記目的を達成するための本発明に係る情報通信システムは、発生した災害または事件の内容に基づいて、拡声放送用音声データを生成し、無線送信するセンター局装置と、拡声放送エリア内に設置され、前記センター局装置から受信した前記拡声放送用音声データを拡声放送する端末局装置と、ネットワークを介して前記センター局装置と接続され、監視カメラに対して、向きや画角の変更を指示する一方、前記監視カメラから送信された画像を、前記ネットワークを介して前記センター局装置に送信するカメラサーバと、前記カメラサーバからの指示に基づき向きや画角の変更を行い、また、撮影した画像を前記カメラサーバに送信する監視カメラと、から構成される情報通信システムにおいて、災害または事件が発生した際に、前記センター局装置は、前記端末局装置に前記拡声放送用音声データを送信する一方、前記カメラサーバに前記災害または事件に関連する拡声放送エリア情報を送信し、前記カメラサーバは、前記センター局装置から送信された前記拡声放送エリア情報を基に前記拡声放送エリア内を撮影可能な前記監視カメラに対して、予め登録されたプリセット情報テーブルを参照して、所定の向きや画角の変更を指示し、前記監視カメラは、自己の雲台およびズーム機構の動作制御を行い、所定の向きや画角に変更をした後、撮影した画像を前記カメラサーバに送信し、前記カメラサーバは、前記監視カメラから送信された画像を前記センター局装置に送信し、前記センター局装置は、前記カメラサーバから送信された画像をモニタ画面上に表示することを特徴とする。
【００１０】
また、上記目的を達成するための本発明に係る情報通信システムは、上記した情報通信システムにおいて、前記センター局装置は、前記カメラサーバから送信された画像を前記拡声放送エリアに対応付けて前記モニタ画面上に表示することを特徴とする。
【００１１】
また、上記目的を達成するための本発明に係る情報通信方法は、発生した災害または事件の内容に基づいて、拡声放送用音声データを生成し、無線送信するセンター局装置と、拡声放送エリア内に設置され、前記センター局装置から受信した前記拡声放送用音声データを拡声放送する端末局装置と、ネットワークを介して前記センター局装置と接続され、監視カメラに対して、向きや画角の変更を指示する一方、前記監視カメラから送信された画像を、前記ネットワークを介して前記センター局装置に送信するカメラサーバと、前記カメラサーバからの指示に基づき向きや画角の変更を行い、また、撮影した画像を前記カメラサーバに送信する監視カメラと、から構成される情報通信システムの情報通信方法であって、災害または事件が発生した際に、前記センター局装置が、前記端末局装置に前記拡声放送用音声データを送信する一方、前記カメラサーバに前記災害または事件に関連する拡声放送エリア情報を送信するステップと、前記カメラサーバが、前記センター局装置から送信された前記拡声放送エリア情報を基に前記拡声放送エリア内を撮影可能な前記監視カメラに対して、予め登録されたプリセット情報テーブルを参照して、所定の向きや画角の変更を指示するステップと、前記監視カメラが、自己の雲台およびズーム機構の動作制御を行い、所定の向きや画角に変更をした後、撮影した画像を前記カメラサーバに送信するステップと、前記カメラサーバが、前記監視カメラから送信された画像を前記センター局装置に送信するステップと、前記センター局装置が、前記カメラサーバから送信された画像をモニタ画面上に表示するステップと、を有することを特徴とする。
【００１２】
また、上記目的を達成するための本発明に係る情報通信方法は、上記した情報通信方法において、前記センター局装置が、前記カメラサーバから送信された画像を前記拡声放送エリアに対応付けて前記モニタ画面上に表示するステップを有することを特徴とする。
【発明の効果】
【００１３】
本発明によれば、災害発生時の状況把握、および徘徊老人捜索や不審者発見に有効な画像を直接入手することができる。
【図面の簡単な説明】
【００１４】
【図１】本発明の情報通信システムの実施形態１に係る無線通信システムを示すシステム構成図である。
【図２】本発明の情報通信システムの実施形態１に係る無線通信システムにおいて、各拡声放送エリア内に設置されたトランペットスピーカと監視カメラの位置関係の一例を示す図である。
【図３】本発明の情報通信システムの実施形態１に係る無線通信システムの操作卓の構成を示す内部構成図である。
【図４】本発明の情報通信システムの実施形態１に係る無線通信システムのカメラサーバの構成を示す内部構成図である。
【図５】図４の記憶部内の拡声放送エリア別プリセット設定テーブルの構成の一例を示す図である。
【図６】図４の記憶部内のカメラプリセット登録テーブルの構成の一例を示す図である。
【図７】本発明の情報通信システムの実施形態１に係る無線通信システムにおける動作の一例を示すタイムチャートである。
【発明を実施するための形態】
【００１５】
＜実施形態１＞
以下、本発明の実施形態１に係る情報通信システムについて、図面を参照して説明する。本実施形態１では、市区町村などの防災に関する無線通信システムであるデジタル同報無線システムに本発明を適用した場合を示す。
【００１６】
本実施形態１に係るデジタル同報無線システムは、例えば、災害時に行政機関から住民に対して災害関連情報を報知する等の用途として用いられ、センター局装置から同報無線送信した拡声放送用の音声等の情報を、所定の場所に設置された複数の端末局装置などで受信して出力する。具体例として、６０ＭＨｚ帯（５４〜７０ＭＨｚ）における市町村デジタル防災無線通信方式であるＴＤＭＡ−ＴＤＤ方式による防災行政用のデジタル同報無線システムにおいて、同報無線回線を利用して、センター局装置と端末局装置などとの間で、音声情報や他の符号情報等による通報を行う機能を備える。
【００１７】
本実施形態１に係るデジタル同報無線システムでは、例えば、災害が発生した時などに、行政機関から住民に対して災害関連の情報を一斉通報により報知することが行われる。具体的には、センター局装置に設置された操作卓や基地局無線送受信装置により、各地域における屋外や一般家庭や集会所や学校などに設置された端末局装置などに対して、災害に関する情報や、緊急指令の情報や、避難勧告の情報などを、通話による音声情報または文字情報等の非音声情報による拡声放送用の音声等の情報として送信して、住民へ拡声放送用の音声等の情報を伝達する。
【００１８】
通信システムとしては、例えば、端末局装置が固定的に設置されるような固定系の通信システムに適用されてもよく、或いは、端末局装置が携帯電話のように移動可能な通信システムに適用されてもよい。なお、本実施形態１では、複数の端末局装置は、それぞれの地域の場所に設置されており、複数の戸別受信機は、例えば、市町村内の住居に戸別毎（世帯毎）に設置されている、或いはそれぞれの操作者（所有者）により携帯されている。
また、一般に、基地局装置（本実施形態１では、センター局装置）から端末局装置などへの通信の方向を下りと言い、端末局装置などから基地局装置（本実施形態１では、センター局装置）への通信の方向を上りと言う。
【００１９】
［無線通信システムの構成］
図１には、本発明の情報通信システムの実施形態１に係る無線通信システムを示すシステム構成図を示してある。本実施形態１に係るデジタル同報無線システムでは、センター局装置１０と、複数であるｎ個の端末局装置３０（１）〜３０（ｎ）と、複数であるｍ個の戸別受信機４０（１）〜４０（ｍ）を設けてある。なお、複数の端末局装置３０（１）〜３０（ｎ）の数ｎや、複数の戸別受信機４０（１）〜４０（ｍ）の数ｍとしては、それぞれ、種々な数が用いられてもよい。以降、この様な複数の装置は、特に区別して記載しないが、複数で記載しないからといって特定の端末に限られるわけではない。
【００２０】
また、図１には、センター局装置１０と端末局装置３０（１）との間の無線回線２１や、センター局装置１０と端末局装置３０（ｎ）との間の無線回線２２や、センター局装置１０と戸別受信機４０（１）との間の無線回線２３を示してある。本例では、センター局装置１０の基地局無線送受信装置１が、端末局装置３０（１）〜３０（ｎ）および戸別受信装置４０（１）〜４０（ｍ）と、無線回線２１〜２３により接続される。
【００２１】
また、本実施形態１では、各端末局装置３０（１）〜３０（ｎ）の構成や動作は同様であるため、１個の端末局装置３０（１）のみについて符号を付して構成を示してあり、また、各戸別受信機４０（１）〜４０（ｍ）の構成や動作は同様であるため、１個の戸別受信機４０（１）のみについて符号を付して構成を示してある。
【００２２】
また、本実施形態１では、主に、センター局装置１０と端末局装置３０（１）〜３０（ｎ）との間で通信する場合について説明するが、例えば、端末局装置３０（１）〜３０（ｎ）と同様な構成や動作を、戸別受信機４０（１）〜４０（ｍ）に適用することも可能である。
【００２３】
センター局装置１０は、市町村役場等に設置されるものであり、センター局制御部１１やセンター局無線部１２やセンター局アンテナ１３を有し無線通信する基地局無線送受信装置１と、操作者により操作されて各種の指令などを受け付ける操作卓２とを備えている。操作卓２は、基地局無線送受信装置１に対して、操作者により緊急情報等の拡声放送用音声信号の送出を行ったり、また、後述するカメラサーバ５０に対して、操作者により発生した事件等に関連する拡声放送エリア情報の送出を行うものであり、操作者が入力するためのキーボード等の入力手段や、ＬＣＤ（Liquid  Crystal  Display）等の表示出力手段を備える。なお、詳細については後述する。センター局無線部１２は、端末局装置３０に対し、音声信号や制御信号を無線で送信する。センター局アンテナ１３は、端末局装置３０と無線通信するためのアンテナである。センター局制御部１１は、音声情報や制御情報等を無線通信するための所定のフォーマットやレベル等をコントロールし、また端末局装置３０から送信されセンター局無線部１２で受信した情報を読み出して出力する。センター局制御部１１のハードウエア構成としては、ＣＰＵ（Central  Processing  Unit）とセンター局制御部１１の動作プログラム等を格納するメモリを備えており、ＣＰＵは、この動作プログラムに従って動作する。
【００２４】
各端末局装置３０（１）〜３０（ｎ）は、端末局制御部３１や端末局無線部３２や端末局アンテナ３３を有し無線通信する端末局本体装置３と、音声を拡声放送として出力するトランペットスピーカ３４とを備えている。端末局アンテナ３３は、センター局装置１０と無線通信するためのアンテナである。端末局無線部３２は、センター局装置１０から無線送信された拡声放送用の音声等の情報を受信する。
【００２５】
端末局制御部３１は、端末局無線部３２で受信した拡声放送用の音声等の情報を読出してトランペットスピーカ３４に出力する。ハードウエア構成としては、ＣＰＵと端末局制御部３１の動作プログラム等を格納するメモリを備えており、ＣＰＵは、この動作プログラムに従って動作する。
【００２６】
各戸別受信機４０（１）〜４０（ｍ）は、操作者の操作を受け付け通報音声の録音再生を制御する録音再生部４１と、音声を操作者へ出力するモニタスピーカ４２とを備えている。
【００２７】
また、センター局装置１０は、図１に示すように、操作卓２を介してネットワーク８０に接続されている。また、ネットワーク８０には、雲台一体型の監視カメラ６０（１）〜６０（ｑ）から送信された画像を受信して蓄積したり、また、監視カメラ６０（１）〜６０（ｑ）のパン角度、チルト角度またはズーム倍率の動作制御を行うカメラサーバ５０と、カメラサーバ５０から送信された画像を表示部に表示して監視を行う監視端末７０とが接続されている。
そして、センター局装置１０は、災害や事件等が発生した際に、カメラサーバ５０に対して、ネットワーク８０を介して発生した災害等に関連する拡声放送エリア情報を送出する。
【００２８】
ここで、図２は、本発明の情報通信システムの実施形態１に係る無線通信システムにおいて、各拡声放送エリア内に設置されたトランペットスピーカと監視カメラの位置関係の一例を示す図である。
図２に示すように、本実施形態１において、５０１〜５０６は、それぞれ拡声放送エリアを示している。
拡声放送エリア５０１内のほぼ中央にはトランペットスピーカ３４（１）が設置されており、拡声放送用の音声がトランペットスピーカ３４（１）から周囲に出力されるようになっている。また、拡声放送エリア５０１内には、エリア内の所定の場所を監視するための雲台一体型の監視カメラ６０（１）、監視カメラ６０（２）、監視カメラ６０（３）および監視カメラ６０（４）が配置されている。
また、同様に、拡声放送エリア５０２内のほぼ中央にはトランペットスピーカ３４（２）が設置されており、また、拡声放送エリア５０２内には、エリア内の所定の場所を監視するための雲台一体型の監視カメラ６０（５）、監視カメラ６０（６）および監視カメラ６０（７）が配置されている。
また、同様に、拡声放送エリア５０３内のほぼ中央にはトランペットスピーカ３４（３）が設置されており、また、拡声放送エリア５０３内には、エリア内の所定の場所を監視するための雲台一体型の監視カメラ６０（８）、監視カメラ６０（９）および監視カメラ６０（１０）が配置されている。
【００２９】
また、同様に、拡声放送エリア５０４内のほぼ中央にはトランペットスピーカ３４（４）が設置されており、また、拡声放送エリア５０４内には、エリア内の所定の場所を監視するための雲台一体型の監視カメラ６０（１１）、監視カメラ６０（１２）、監視カメラ６０（１３）および監視カメラ６０（１４）が配置されている。
また、同様に、拡声放送エリア５０５内のほぼ中央にはトランペットスピーカ３４（５）が設置されており、また、拡声放送エリア５０５内には、エリア内の所定の場所を監視するための雲台一体型の監視カメラ６０（１５）、監視カメラ６０（１６）および監視カメラ６０（１７）が配置されている。
また、同様に、拡声放送エリア５０６内のほぼ中央にはトランペットスピーカ３４（６）が設置されており、また、拡声放送エリア５０６内には、エリア内の所定の場所を監視するための雲台一体型の監視カメラ６０（１８）、監視カメラ６０（１９）および監視カメラ６０（２０）が配置されている。
【００３０】
ここで、本実施形態１では、センター局装置１０に対して、複数の端末局装置３０（１）〜３０（ｎ）や複数の戸別受信機４０（１）〜４０（ｍ）が直接的に無線回線２１〜２３を介して接続されるシステム構成であるが、例えば、図示していない中継局装置を設けて、センター局装置１０と複数の端末局装置３０（１）〜３０（ｎ）や複数の戸別受信機４０（１）〜４０（ｍ）とが中継局装置を介して接続されるようなシステム構成が用いられてもよい。
【００３１】
次に、本発明の情報通信システムの実施形態１に係る無線通信システムの操作卓の構成について、図３を参照して説明する。
図３は、本発明の情報通信システムの実施形態１に係る無線通信システムの操作卓の構成を示す内部構成図である。
【００３２】
操作卓２は、ＣＰＵと操作卓２の動作プログラム等格納するメモリとからなるセンター局制御部２０１を備え、このセンター局制御部２０１には記憶部２０９及びインターフェース群が接続されている。インターフェース群は、出力インターフェース２０２、入力インターフェース２０４、表示インターフェース２０６、無線インターフェース２１０およびネットワークインターフェース２１１とから構成されている。
【００３３】
出力インターフェース２０２は、センター局制御部２０１で生成された音声信号をアナログ信号に変換してスピーカ２０３から拡声出力する。入力インターフェース２０４には、マイクロホン２０５及び入力部２０７が接続されている。入力インターフェース２０４は、マイクロホン２０５から入力されたシステム管理者の通報音声、及び入力部２０７により入力された操作情報をデジタル信号に変換してセンター局制御部２０１へ出力する。表示インターフェース２０６は、センター局制御部２０１から出力された表示データを表示部２０８に表示する。表示部２０８には、例えば、ＬＣＤ等の表示装置が使用される。無線インターフェース２１０は、センター局制御部２０１の制御の下、基地局無線送受信装置１との間で信号を送受信する。ネットワークインターフェース２１１は、センター局制御部２０１の制御の下、ネットワーク８０を介してカメラサーバ５０との間で制御信号および画像信号を送受信する。
【００３４】
上記した構成により、基地局無線送受信装置１は、上記操作卓２から出力された送信信号により変調された下り無線信号を生成し、この生成された下り無線信号をこのシステムに割り当てられた無線周波数に変換してセンター局アンテナ１３から端末局装置３０に送信する。また、端末局装置３０から送られた上り無線信号を受信して復調し、この復調により再生された受信信号をセンター局制御部２０１に転送する。なお、上記下り無線信号を端末局装置３０に対し直接送信する場合には同報波が、また中継局装置を介して送信する場合には同報波とは周波数が異なる中継波が使用される。
【００３５】
記憶部２０９には、端末局管理テーブル２０９ａ、拡声放送情報テーブル２０９ｂ、および音声データ２０９ｃが記憶されている。端末局管理テーブル２０９ａには、このシステムに属する端末局装置３０のＩＤに対応付けて、端末局装置３０の状態変化を表わすデータとその時刻、および端末局装置３０の設置位置を表わす位置データが記憶されている。なお、本実施形態１では、位置データは、例えば、緯度経度により表わされるが、地区の名称や施設の名称などが記憶されていてもよい。
【００３６】
センター局制御部２０１は、ポーリング制御機能に加え、さらに本発明に係わる制御機能として、拡声放送用テキスト生成機能２０１ａおよび音声変換機能２０１ｂを備えている。これらの制御機能はいずれも、図示しないプログラムメモリに格納されたアプリケーション・プログラムをＣＰＵに実行させることにより実現される。
【００３７】
ポーリング制御機能は、所定の時間ごとに管理エリアに存在する全ての端末局装置３０に対して端末局監視信号を送信する。そして、この端末局監視信号を受信した各端末局装置３０から送信されるポーリング応答信号の受信処理を実行する。センター局制御部２０１は、ポーリング応答信号を受信すると、このポーリング応答信号から、端末局装置３０の端末局ＩＤ、状態データ及びその検出時刻を抽出し、抽出された情報を端末局管理テーブル２０９ａに記憶すると共に、端末局ＩＤに対応付けて上記状態データ及びその検出時刻を表示部２０８に一覧表示する。
【００３８】
拡声放送用テキスト生成機能２０１ａは、入力部２０７から操作者の操作によって入力された事件や災害の情報を基にして、拡声放送用のテキストを生成する。このとき、センター局制御部２０１が記憶部２０９内の端末局管理テーブル２０９ａを参照し、例えば、災害や事件の情報に基づいて拡声放送エリア５０６を特定し、災害や事件の情報に応じたテキスト定型文に時刻や場所の情報を組み込んで拡声放送用のテキストを作成し、表示部２０８に表示する。このとき生成されるテキストは、例えば、「○時○分頃、△△町△丁目で、火災が発生しました。」「○時○分頃、△△町△丁目付近に、不審な人物が現れました。近隣住民の皆さんは注意してください。」等である。ここで場所情報は、端末局装置３０の設置場所の住所が記憶されていてもよいし、近隣の施設の名称等が記憶されていてもよく、これらの情報が抽出されてテキスト化される。
【００３９】
音声変換機能２０１ｂは、前述の拡声放送用テキスト生成機能２０１ａにより生成された拡声放送用のテキストを拡声放送用の音声データに変換する。このとき、センター局制御部２０１が記憶部２０９内の音声データ２０９ｃを参照し、テキストに応じた音声を生成する。例えば、定型文に対応する音声を記憶しておき、時間や場所の音声を各文字の音声を繋ぎ合せて生成してもよいし、全ての文字の音声を繋ぎ合せて生成してもよい。生成した音声は、必要に応じてスピーカ２０３から出力してもよい。
【００４０】
拡声放送用テキスト生成機能２０１ａにより生成された拡声放送用のテキストまたは音声変換機能２０１ｂにより生成された拡声放送用の音声データは、入力部２０７からの修正指示を受け付けると修正内容に応じて再生成される。
【００４１】
入力部２０７から拡声放送の指示が出ると、拡声放送用の音声データは、無線インターフェース２１０および基地局無線送受信装置１を介してセンター局アンテナ１３より指定された端末局装置３０または全ての端末局装置３０または／および戸別受信機４０に対して無線伝送される。端末局装置３０は、拡声放送用の音声データを受信すると、端末局無線部３２および端末局制御部３１を介して、トランペットスピーカ３４から拡声放送用の音声を拡声放送する。
【００４２】
次に、本発明の情報通信システムの実施形態１に係る無線通信システムのカメラサーバの構成について、図４を参照して説明する。
図４は、本発明の情報通信システムの実施形態１に係る無線通信システムのカメラサーバの構成を示す内部構成図である。
【００４３】
カメラサーバ５０は、ＣＰＵとカメラサーバ５０の動作プログラム等を格納するメモリとからなる制御部５１と、記憶部５２と、カメラ入出力インターフェース５３と、ネットワークインターフェース５４とから構成されている。
【００４４】
制御部５１は、プリセット手段５１ａと、画像取得手段５１ｂと、画像送信手段５１ｃとを備えている。プリセット手段５１ａは、ネットワーク８０を介してセンター局装置１０から送信された拡声放送エリア情報に基づいて、記憶部５２に記憶された後述する拡声放送エリア別プリセット設定テーブル５２ａおよびカメラプリセット登録テーブル５２ｂを参照し、所定の監視カメラ６０に動作制御信号を送信させる。また、画像取得手段５１ｂは、ネットワーク８０を介してセンター局装置１０から送信された拡声放送エリア情報に基づいて、拡声放送エリア別プリセット設定テーブル５２ａを参照し、所定の拡声放送エリア内を撮影する所定の監視カメラ６０からの画像を取得して、記憶部５２に一時記憶させる。また、画像送信手段５１ｃは、ネットワーク８０を介してセンター局装置１０から送信された拡声放送エリア情報に基づいて、拡声放送エリア別プリセット設定テーブル５２ａを参照し、所定の拡声放送エリア内を撮影した所定の監視カメラ６０からの画像を記憶部から読み出して、センター局装置１０に送信させる。
【００４５】
記憶部５２は、拡声放送エリア別プリセット設定テーブル５２ａおよびカメラプリセット登録テーブル５２ｂを有している。
図５は、図４の記憶部内の拡声放送エリア別プリセット設定テーブルの構成の一例を示す図である。また、図６は、図４の記憶部内のカメラプリセット登録テーブルの構成の一例を示す図である。
図５に示すように、拡声放送エリア別プリセット設定テーブル５２ａには、拡声放送エリア毎に、それぞれ拡声放送エリア内を撮影することが可能なカメラのカメラ番号と、プリセット番号が登録されている。
また、図６に示すように、カメラプリセット登録テーブル５２ｂには、カメラ毎に、プリセット番号と、そのプリセット番号に対応するパン角度、チルト角度およびズーム倍率の設定内容が登録されている。
【００４６】
カメラ入出力インターフェース５３は、制御部５１から出力された動作制御信号を所定の監視カメラ６０に送出する一方、監視カメラ６０から送信された画像を制御部５１に入力する。
ネットワークインターフェース５４は、ネットワーク８０を介してセンター局装置１０から送信された拡声放送エリア情報を受信して制御部５１に入力する一方、制御部５１から出力された画像をセンター局装置１０にネットワーク８０を介して送出する。
【００４７】
［無線通信システムの動作］
次に、本発明の情報通信システムの実施形態１に係る無線通信システムにおける動作について、図７を参照して説明する。図７は、本発明の情報通信システムの実施形態１に係る無線通信システムにおける動作の一例を示すタイムチャートである。
【００４８】
市区町村等の行政機関において、例えば、住民から火災等の通報を受け付けた場合に、センター局装置１０では、操作者が操作卓２の入力部２０７から火災が発生した場所等を入力することで、センター局制御部２０１が、拡声放送用テキスト生成機能２０１ａにより、火災の発生した場所情報を基に、拡声放送用のテキストを生成する（ステップＳ１０１）。
次に、センター局制御部２０１は、音声変換機能２０１ｂにより、拡声放送用のテキストを拡声放送用の音声データに変換する（ステップＳ１０２）。センター局制御部２０１は、火災発生場所情報を基に、火元を含む、または隣接した拡声放送エリアを特定し、当該特定した拡声放送エリアの端末局装置３０および戸別受信機４０に対して、変換した拡声放送用の音声データを送信する（ステップＳ１０３）。
そして、端末局装置３０は、センター局装置１０から拡声放送用の音声データを受信すると、トランペットスピーカ３４から拡声放送用の音声を拡声放送し（ステップＳ１０４）、また、戸別受信機４０は、拡声放送用の音声データを受信すると、モニタスピーカ４２から拡声放送用の音声を出力する（ステップＳ１０５）。
【００４９】
また、操作卓２のセンター局制御部２０１は、カメラサーバ５０に対して、特定した拡声放送エリアに関する情報を送信する（ステップＳ１０６）。
カメラサーバ５０は、センター局装置１０から拡声放送エリア情報を受信すると、記憶部５２に記憶された拡声放送エリア別プリセット設定テーブル５２ａおよびカメラプリセット登録テーブル５２ｂを参照して、所定の監視カメラ６０に対し、プリセット番号に対応したパン角度、チルト角度およびズーム倍率の動作制御信号を送信する（ステップＳ１０７）。
【００５０】
監視カメラ６０は、カメラサーバ５０からプリセット情報を受信すると、当該プリセット情報に基づき、図示しない駆動部を制御してパン角度、チルト角度およびズーム倍率の変更を行う（ステップＳ１０８）。
監視カメラ６０がカメラサーバ５０に撮影した画像を送信すると、カメラサーバ５０は、記憶部５２に一旦蓄積し、当該画像をセンター局装置１０に対して送信する（ステップＳ１０９）。
センター局装置１０は、カメラサーバ５０から所望する画像を受信すると、表示部２０８に表示する（ステップＳ１１０）。
なお、拡声放送エリアが複数特定された場合には、拡声放送エリア毎に分け、それぞれの拡声放送エリアに対応した監視カメラ６０の画像を表示するようにする。また、監視カメラ６０が複数の拡声放送エリアで重複する場合には、優先順位を設定し、優先順位の高い方に表示するようにすればよい。
【００５１】
本発明の実施形態１では、例えば、図２に示す拡声放送エリア５０２（網掛けしたエリア）で火災が発生し、住民からの通報を受け付けた場合に、センター局装置１０では、操作者が操作卓２から火災が発生した場所等を入力することにより、拡声放送用のテキストが生成される。
センター局装置１０では、拡声放送用のテキストが拡声放送用の音声データに変換され、火災発生場所情報を基に火元の拡声放送エリア５０２を特定し、拡声放送エリア５０２の端末局装置３０（２）および拡声放送エリア５０２内の戸別受信機４０に対して、変換した拡声放送用の音声データが送信される。そして、端末局装置３０（２）のトランペットスピーカ３４（２）および戸別受信機４０のモニタスピーカ４２から拡声放送用の音声が出力される。
【００５２】
一方、センター局装置１０では、カメラサーバ５０に対し、火災発生場所情報を基に拡声放送エリア５０２に関する情報を送信する。
カメラサーバ５０は、センター局装置１０から拡声放送エリア５０２の関する情報を受信すると、記憶部５２の拡声放送エリア別プリセット設定テーブル５２ａおよびカメラプリセット登録テーブル５２ｂを参照し、拡声放送エリア５０２内を撮影している、または、撮影することが可能な監視カメラ６０（３）、６０（５）、６０（６）、６０（７）、６０（１５）および６０（１８）に対し、プリセット番号に対応するパン角度、チルト角度およびズーム倍率の動作制御信号を送信する。
監視カメラ６０（３）、６０（５）、６０（６）、６０（７）、６０（１５）および６０（１８）は、各々自己の雲台およびズーム機構の動作制御を行い、パン角度、チルト角度およびズーム倍率の変更を行った後、撮影した画像をカメラサーバ５０に送信する。
カメラサーバ５０は、監視カメラ６０（３）、６０（５）、６０（６）、６０（７）、６０（１５）および６０（１８）から送信された画像を一旦記憶部５２に蓄積すると共に、当該画像をセンター局装置１０に送信する。
センター局装置１０では、カメラサーバ５０から送信された画像を表示部２０８に表示することにより、操作者が拡声放送エリア５０２内での火災の状況を即座に確認することができる。
【００５３】
以上説明したように、本発明の実施形態１によれば、災害発生時の状況把握、および徘徊老人捜索や不審者発見に有効な画像を直接入手することができる。
【００５４】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。
【符号の説明】
【００５５】
１・・基地局無線送受信装置、２・・操作卓、３・・端末局本体装置、５・・監視端末局本体装置、１０・・センター局装置、１１・・センター局制御部、１２・・センター局無線部、１３・・センター局アンテナ、２１・・無線回線、２２・・無線回線、２３・・無線回線、２４・・無線回線、３０・・端末局装置、３１・・端末局制御部、３２・・端末局無線部、３３・・端末局アンテナ、３４・・トランペットスピーカ、４０・・戸別受信機、４１・・録音再生部、４２・・モニタスピーカ、５０・・カメラサーバ、５１・・制御部、５１ａ・・プリセット手段、５１ｂ・・画像取得手段、５１ｃ・・画像送信手段、５２・・記憶部、５２ａ・・拡声放送エリア別プリセット設定テーブル、５２ｂ・・カメラプリセット登録テーブル、６０・・監視カメラ、７０・・監視端末、８０・・ネットワーク、２０１・・センター局制御部、２０１ａ・・拡声放送用テキスト生成機能、２０１ｂ・・音声変換機能、２０２・・出力インターフェース、２０３・・スピーカ、２０４・・入力インターフェース、２０５・・マイクロホン、２０６・・表示インターフェース、２０７・・入力部、２０８・・表示部、２０９・・記憶部、２０９ａ・・端末局管理テーブル、２０９ｂ・・拡声放送情報テーブル、２０９ｃ・・音声データ、２１０・・無線インターフェース、２１１・・ネットワークインターフェース、５０１，５０２，５０３，５０４，５０５，５０６・・拡声放送エリア。
【図１】
2016005237.tif 000003
【図２】
2016005237.tif 000004
【図３】
2016005237.tif 000005
【図４】
2016005237.tif 000006
【図５】
2016005237.tif 000007
【図６】
2016005237.tif 000008
【図７】
2016005237.tif 000009